(57)【特許請求の範囲】
【請求項１】
繰り返し入力されている、ある画素の階調を示す映像データを、次回まで記憶する映像データ記憶装置と、
上記映像データ記憶装置から読み出した前回の映像データと今回の映像データとに基づいて、前回の映像データの示す階調から、今回の映像データの示す階調への階調遷移を強調するように補正された補正後映像データを出力可能な補正手段とを備え、
上記補正手段は、上記前回および今回の映像データの取り得る値の組み合わせのうち、予め定められた一部の組み合わせに対応して、当該組み合わせに対応する補正後映像データを決定するためのパラメータが格納されたパラメータ記憶装置と、
入力された上記両映像データの示す階調同士の差が予め定められた閾値を超えており、しかも、当該両映像データの値の組み合わせである入力組み合わせに対応するパラメータが、上記パラメータ記憶装置に格納されていない場合は、上記パラメータ記憶装置から、複数のパラメータを読み出し、これらのパラメータに基づく補間演算によって、上記入力組み合わせに対応するパラメータを算出して上記補正後映像データを生成すると共に、閾値を超えていない場合は、今回の映像データを補正せずに出力する補間手段とを備え、
上記パラメータ記憶装置には、上記予め定められた一部の組み合わせのうち、組み合わせを構成する値の示す階調同士が互いに同じである特定の組み合わせに対応するパラメータとして、当該パラメータによって決定される補正後映像データの示す階調が当該特定の組み合わせを構成する値の示す階調のいずれでもなく、しかも、上記入力組み合わせを構成する値の示す階調同士の差が上記閾値を超えている場合に上記補間演算によって当該入力組み合わせに対応するパラメータを算出するためのパラメータが記憶されていることを特徴とする映像データ処理装置。
【請求項２】
上記パラメータ記憶装置は、上記特定の組み合わせに対応するパラメータとして、上記入力された前回の映像データの示す第１階調よりも、上記入力された今回の映像データの示す第２階調の方が明るい場合の第１パラメータと、暗い場合の第２パラメータとを備え、
上記補間手段は、上記特定の組み合わせに対応するパラメータを上記パラメータ記憶装置から読み出す場合、上記第１階調よりも第２階調が明るい場合は、上記第１パラメータを読み出し、暗い場合は、上記第２パラメータを読み出すことを特徴とする請求項１記載の映像データ処理装置。
【請求項３】
上記各パラメータは、上記補正後の映像データの階調を示し、上記第１および第２パラメータは、今回の映像データの示す階調と、上記パラメータとしての補正後映像データの示す階調との差分を示すものであって、
上記補間手段は、第１または第２パラメータを読み出した場合、当該第１または第２パラメータと上記今回の映像データとに基づいて、上記特定の組み合わせに対応するパラメータを復元することを特徴とする請求項２記載の映像データ処理装置。
【請求項４】
上記各パラメータは、上記補正後の映像データの階調を示すものであり、
上記パラメータ記憶装置には、上記特定の組み合わせに対応するパラメータとして、上記入力された前回の映像データの示す第１階調よりも、上記入力された今回の映像データの示す第２階調の方が明るい場合と暗い場合とのうち、予め定められた場合のパラメータのみが記憶されており、
上記補間手段は、上記特定の組み合わせに対応するパラメータを取得する際、上記予め定められた場合は、上記パラメータ記憶装置からパラメータを読み出し、そうでない場合は、今回の映像データを当該特定の組み合わせに対応するパラメータとして使用することを特徴とする請求項１記載の映像データ処理装置。
【請求項５】
請求項１に記載の映像データ処理装置を含む表示装置の駆動装置であって、
補正後の映像データに応じた信号を上記画素に接続されたデータ信号線へ出力する出力手段を含み、
上記繰り返し入力されている、補正前の映像データをＤ（ｎ−１）、Ｄ（ｎ）とし、それに対応する補正後の映像データを、Ｄ２（ｎ−１）、Ｄ２（ｎ）とする場合、
上記補正手段は、補正前の映像データの階調遷移量が予め定められた閾値Ｌよりも大きいとき、上記補正後の映像データＤ２（ｎ）として、
Ｄ２（ｎ）＝α＋ｋ・〔（Ｄ（ｎ）−Ｄ（ｎ−１））を出力し、
上記補正手段は、補正前の映像データの階調遷移量が上記閾値Ｌに満たないとき、上記補正後の映像データＤ２（ｎ）として、
Ｄ２（ｎ）＝Ｄ（ｎ）を出力すると共に、
上記αは、Ｄ（ｎ）と異なる値に設定されていることを特徴とする表示装置の駆動装置。
【請求項６】
請求項１に記載の映像データ処理装置を含む表示装置の駆動方法であって、
繰り返し入力されている、ある画素の階調を示す映像データを補正して出力する補正工程と、
補正後の映像データに応じた信号を上記画素に接続されたデータ信号線へ出力する出力工程とを含み、
上記繰り返し入力されている、補正前の映像データをＤ（ｎ−１）、Ｄ（ｎ）とし、それに対応する補正後の映像データを、Ｄ２（ｎ−１）、Ｄ２（ｎ）とする場合、
上記補正工程における補正後の映像データＤ２（ｎ）は、補正前の映像データの階調遷移量が予め定められた閾値Ｌよりも大きいとき、
Ｄ２（ｎ）＝α＋ｋ・〔（Ｄ（ｎ）−Ｄ（ｎ−１））であり、
補正前の映像データの階調遷移量が上記閾値Ｌに満たないとき、
Ｄ２（ｎ）＝Ｄ（ｎ）であり、
上記αは、Ｄ（ｎ）と異なる値に設定されていることを特徴とする表示装置の駆動方法。
【請求項７】
請求項１〜４のいずれか１項に記載の映像データ処理装置と、
当該映像データ処理装置からの補正後映像データによって駆動される液晶表示パネルとを備えていることを特徴とする液晶表示装置。
【請求項８】
上記液晶表示装置は、液晶テレビジョン受像機または液晶モニタ装置であることを特徴とする請求項７記載の液晶表示装置。
【請求項９】
請求項１〜４のいずれか１つの請求項に記載の各記憶装置を有するコンピュータを、当該請求項に記載の各手段として動作させるプログラム。
【請求項１０】
請求項９記載のプログラムが記録されたコンピュータ読み取り可能な記録媒体。
【発明の詳細な説明】
【技術分野】
【０００１】  本発明は、画素の階調を示す映像データを処理する映像データ処理装置であって、回路規模の縮小と表示品質の向上とを、より高いレベルでバランス可能な映像データ処理装置、それを備える液晶表示装置、表示装置の駆動装置、表示装置の駆動方法、並びに、そのプログラムおよび記録媒体に関するものである。
【背景技術】
【０００２】  液晶表示装置は、省スペース・省電力の特徴に加え、近年、視野角・コントラスト・色再現性・応答速度等の性能が向上してきたため、今やブラウン管を凌駕する画像表示装置となりつつある。そのため、テレビやＯＡ用のモニタ（コンピュータのモニタ）等への液晶表示装置の適用は、今後も拡大の一途を辿ると予測される。【０００３】  通常、液晶セルに電圧が印加されると、液晶セル内の液晶材料（液晶分子）は、その誘電異方性により長軸方向（ダイレクタ）が変化される。液晶材料は、光学異方性を有するため、その方向が変化されると液晶セルを透過する光の偏光方向も変化する。そして、液晶セルに設けられた偏光板などの作用を伴って、液晶セルに印加された印加電圧（印加電圧）によって該液晶セルを透過する光の光量が制御される。これにより、各画素の輝度を表示させたい階調輝度にすることができ、画像表示を行うことができる。【０００４】  しかし、液晶材料が印加電圧の変化に応答するためには、ある程度の時間が必要となる（液晶材料の応答速度が遅い）。例えば、現在広く用いられている液晶表示方式（液晶表示モード）におけるＴＮ（Ｔｗｉｓｔｅｄ  Ｎｅｍａｔｉｃ）、ＩＰＳ（Ｉｎ−Ｐｌａｎｅ−Ｓｗｉｔｃｈｉｎｇ）、またはＶＡ（Ｖｅｒｔｉｃａｌｌｙ  Ａｌｉｇｎｅｄ）等の場合、液晶材料の応答速度は、遅い階調間で３０ｍｓｅｃ〜５０ｍｓｅｃとなる。そのため、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号の６０Ｈｚ（約１６．６ｍｓｅｃ）、あるいはＰＡＬ（Ｐｈａｓｅ  Ａｌｔｅｒａｔｉｏｎ  ｂｙ  Ｌｉｎｅ）信号の５０Ｈｚ（２０．０ｍｓｅｃ）に対応する応答速度を実現できない。したがって、さらなる市場拡大の要求に答えるためには、さらに高い性能が必要とされている。【０００５】  そこで、従来、液晶材料や表示の駆動方法に工夫を施して、応答速度を早くした液晶表示装置が開発されている。【０００６】  例えば、特許文献１（特開平１０−３９８３７号公報；公開日：平成１０年２月１３日）には、階調変化の際に対応する電圧差より、大きな電圧を印加することで、液晶材料を急峻に目標階調へと動かす“オーバーシュート駆動”を用いた液晶表示装置が開示されている。オーバーシュート駆動では、開始階調（現在の階調）と目標階調（所望の階調）とに対応つけて液晶材料に印加すべき印加階調値（或いは該印加諧調を実現する印加電圧値）を定めたルックアップテーブル（ＬＵＴ）を予め用意しておき、これに基づき電圧印加を行うようになっている。【０００７】  ここで、階調変化の全パターンに対応する印加電圧値に対応する値が格納されたＬＵＴを用意しようとすると該ＬＵＴを記憶するメモリの容量が著しく大きくなってしまうという問題を招来する。【０００８】  この問題を解決するために、特許文献２（特開２００４−４６２９号公報；公開日：平成１６年１月８日）では、図９に示すように、後階調データと、前階調データと、温度センサ１０８からの測定データとを受信するとともに、ＬＵＴメモリ１１２に記憶した複数個のＬＵＴを参照しながら補間演算することで、階調表示に必要な階調データを目標階調データとして算出する印加階調値取得部１１３を含む液晶表示装置が開示されている。当該構成では、種々の付加的条件を考慮しながら、局所座標を用いた補間演算によって高精度の目標階調データ（補間値）を求めることができる。【０００９】  しかしながら、上記特許文献２の構成では、全パターンを記憶する構成と比較すると、回路規模を大幅な削減を達成している一方で、全パターンを記憶する場合と比較すると、補間演算に起因する表示品質がある程度は発生してしまう。したがって、回路規模を余り増大させない範囲で表示品質をさらに向上することが求められている。
【発明の開示】
【００１０】  本発明の目的は、回路規模の縮小と表示品質の向上とを、より高いレベルでバランスさせた表示装置を実現することにある。
【００１１】  本発明に係る映像データ処理装置は、上記目的を達成するために、繰り返し入力されている、ある画素の階調を示す映像データを、次回まで記憶する映像データ記憶装置と、上記映像データ記憶装置から読み出した前回の映像データと今回の映像データとに基づいて、前回の映像データの示す階調から、今回の映像データの示す階調への階調遷移を強調するように補正された補正後映像データを出力可能な補正手段とを備え、上記補正手段は、上記前回および今回の映像データの取り得る値の組み合わせのうち、予め定められた一部の組み合わせに対応して、当該組み合わせに対応する補正後映像データを決定するためのパラメータが格納されたパラメータ記憶装置と、入力された上記両映像データの示す階調同士の差が予め定められた閾値を超えており、しかも、当該両映像データの値の組み合わせである入力組み合わせに対応するパラメータが、上記パラメータ記憶装置に格納されていない場合は、上記パラメータ記憶装置から、複数のパラメータを読み出し、これらのパラメータに基づく補間演算によって、上記入力組み合わせに対応するパラメータを算出して上記補正後映像データを生成すると共に、閾値を超えていない場合は、今回の映像データを補正せずに出力する補間手段とを備え、上記パラメータ記憶装置には、上記予め定められた一部の組み合わせのうち、組み合わせを構成する値の示す階調同士が互いに同じである特定の組み合わせに対応するパラメータとして、当該パラメータによって決定される補正後映像データの示す階調が当該特定の組み合わせを構成する値の示す階調のいずれでもなく、しかも、上記入力組み合わせを構成する値の示す階調同士の差が上記閾値を超えている場合に上記補間演算によって当該入力組み合わせに対応するパラメータを算出するためのパラメータが記憶されていることを特徴としている。
【００１２】  上記構成では、入力された上記両映像データの示す階調同士の差が予め定められた閾値を超えている場合、映像データ処理装置は、階調遷移が強調された補正後映像データを出力できるので、映像データを表示する表示装置の画素の応答速度を向上できる。
【００１３】  また、上記補間手段は、階調遷移の量が閾値を超えていない場合には、階調遷移強調を行わないので、以下の不具合、すなわち、静止画を表示している場合に、例えば、ノイズなどの影響によって僅かに発生する階調遷移を強調して、不所望な階調遷移がユーザに視認されてしまうという不具合の発生を防止できる。
【００１４】  さらに、上記パラメータ記憶装置には、今回および前回の映像データの取り得る値の組み合わせのうち、一部分の組み合わせに対応するパラメータのみが記憶され、残余の組み合わせに対応するパラメータは、補間演算によって算出されるので、全ての組み合わせに対応するパラメータをパラメータ記憶装置に格納するよりも、回路規模を大幅に削減できる。
【００１５】  また、上記パラメータ記憶装置には、上記特定の組み合わせに対応して、以下のパラメータ、すなわち、当該パラメータによって決定される補正後映像データの示す階調が当該特定の組み合わせを構成する値の示す階調のいずれでもなく、しかも、上記入力組み合わせを構成する値の示す階調同士の差が上記閾値を超えている場合に上記補間演算によって当該入力組み合わせに対応するパラメータを算出するためのパラメータが格納されている。したがって、階調遷移が発生しない特定の組み合わせに対応して、特定の組み合わせを構成する値の示す階調のいずれかを記憶する構成と比較して、補間演算を用いた近似に起因する誤差を低減でき、表示装置に表示した場合の表示品質を向上できる。
【００１６】  これらの結果、回路規模の縮小と表示品質の向上とを、より高いレベルでバランスさせた表示装置を実現することができる。
【００１７】  なお、上記特定の組み合わせに対応して、上記のようなパラメータを記憶している場合、階調遷移の量が閾値以下のときに補間演算を用いると、補間演算を用いた近似に起因する誤差が大きくなる可能性がある。ただし、上記補間手段は、階調遷移の量が閾値を超えていない場合には、階調遷移強調を行わない。したがって、階調遷移の量が閾値以下の場合には、当該誤差が発生せず、当該誤差に起因する表示品質の低下を防止できる。
【００１８】  また、本発明に係る表示装置の駆動装置は、上記目的を達成するために、繰り返し入力されている、ある画素の階調を示す映像データを補正して出力する補正手段と、補正後の映像データに応じた信号を上記画素に接続されたデータ信号線へ出力する出力手段とを含む表示装置の駆動装置であって、上記繰り返し入力されている、補正前の映像データをＤ（ｎ−１）、Ｄ（ｎ）とし、それに対応する補正後の映像データを、Ｄ２（ｎ−１）、Ｄ２（ｎ）とする場合、上記補正手段は、補正前の映像データの階調遷移量が予め定められた閾値Ｌよりも大きいとき、上記補正後の映像データＤ２（ｎ）として、Ｄ２（ｎ）＝α＋ｋ・〔（Ｄ（ｎ−１）−Ｄ（ｎ）〕を出力し、上記補正手段は、補正前の映像データの階調遷移量が上記閾値Ｌに満たないとき、上記補正後の映像データＤ２（ｎ）として、Ｄ２（ｎ）＝Ｄ（ｎ）を出力すると共に、上記αは、Ｄ（ｎ）と異なる値に設定されていることを特徴としている。
【００１９】  当該構成では、補正前の映像データの階調遷移量が予め定められた閾値Ｌよりも大きいとき、上記補正後の映像データＤ２（ｎ）として、Ｄ２（ｎ）＝α＋ｋ・〔（Ｄ（ｎ−１）−Ｄ（ｎ）〕が出力され、補正前の映像データの階調遷移量が上記閾値Ｌに満たないとき、上記補正後の映像データＤ２（ｎ）として、Ｄ２（ｎ）＝Ｄ（ｎ）が出力される。また、上記αは、Ｄ（ｎ）と異なる値に設定されている。
【００２０】  したがって、上記映像データ処理装置と同様、以下の構成、すなわち、階調遷移が発生しない特定の組み合わせに対応して、特定の組み合わせを構成する値の示す階調のいずれかを記憶する構成と比較して、補間演算を用いた近似に起因する誤差を低減でき、表示装置に表示した場合の表示品質を向上できる。この結果、回路規模の縮小と表示品質の向上とを、より高いレベルでバランスさせた表示装置を実現することができる。
【００２１】  本発明のさらに他の目的、特徴、および優れた点は、以下に示す記載によって十分わかるであろう。また、本発明の利点は、添付図面を参照した次の説明で明白になるであろう。
【図面の簡単な説明】
【００２２】
【図１】本発明の実施形態を示すものであり、変調駆動処理部の要部構成を示すブロック図である。
【図２】上記変調駆動処理部を備える画像表示装置の要部構成を示すブロック図である。
【図３】上記画像表示装置の画素の構成例を示す回路図である。
【図４】上記変調駆動処理部のルックアップテーブルに格納されている出力映像データを示す図面である。
【図５】それに対応する出力映像データが上記ルックアップテーブルに格納されている、前および現フレームの映像データの組み合わせを示す図面である。
【図６】上記出力映像データの理想的な特性と、補間演算によって生成した出力映像データとの関係を示すグラフである。
【図７】本発明の他の実施形態を示すものであり、上記変調駆動処理部のルックアップテーブルに格納されている出力映像データを示す図面である。
【図８】本発明のさらに他の実施形態を示すものであり、変調駆動処理部の要部構成を示すブロック図である。
【図９】従来技術を示すものであり、液晶表示装置の構成を示すブロック図である。
【符号の説明】
【００２３】  １・１ａ〜１ｂ      画像表示装置（液晶表示装置）
２１・２１ａ〜２１ｂ  変調駆動処理部（映像データ処理装置）
３１                  フレームメモリ（映像データ記憶装置）
３５・３５ａ          ルックアップテーブル（パラメータ記憶装置）
３４・３４ａ〜３４ｂ  変調処理部（補間手段）
Ｖ                    映像データの値（パラメータ）
Ｖ１・Ｖ２            映像データの値（第１および第２パラメータ）
Ｖ１・Ｖ２ａ          映像データの値の差分値（第１および第２パラメータ）
【発明を実施するための最良の形態】
【００２４】  〔第１の実施形態〕
本発明の一実施形態について図１ないし図６に基づいて説明すると以下の通りである。すなわち、本実施形態に係る画像表示装置は、前回から今回への階調遷移量が予め定められた閾値よりも大きい場合は、ルックアップテーブル（ＬＵＴ）に格納された値を補間して、階調遷移を強調し、予め定められた閾値以下の場合は、階調遷移を強調する画像表示装置であって、ルックアップテーブルの回路規模を増大させることなく、より適切に補間することができる。【００２５】  図２に示すように、当該画像表示装置１のパネル１１は、マトリクス状に配された画素ＰＩＸ（１，１）〜ＰＩＸ（ｎ，ｍ）を有する画素アレイ２と、画素アレイ２のデータ信号線ＳＬ１〜ＳＬｎを駆動するデータ信号線駆動回路３と、画素アレイ２の走査信号線ＧＬ１〜ＧＬｍを駆動する走査信号線駆動回路４とを備えている。また、画像表示装置１には、両駆動回路３・４へ制御信号を供給する制御回路１２と、入力される映像信号に基づいて、上記階調遷移を強調するように、上記制御回路１２へ与える映像信号を変調する変調駆動処理部（映像データ処理装置）２１とが設けられている。なお、これらの回路は、電源回路１３からの電力供給によって動作している。【００２６】  以下では、表示装置の駆動装置としての変調駆動処理部２１の詳細構成について説明する前に、画像表示装置（液晶表示装置）１全体の概略構成および動作を説明する。また、説明の便宜上、例えば、ｉ番目のデータ信号線ＳＬｉのように、位置を特定する必要がある場合にのみ、位置を示す数字または英字を付して参照し、位置を特定する必要がない場合や総称する場合には、位置を示す文字を省略して参照する。【００２７】  上記画素アレイ２は、複数（この場合は、ｎ本）のデータ信号線ＳＬ１〜ＳＬｎと、各データ信号線ＳＬ１〜ＳＬｎに、それぞれ交差する複数（この場合は、ｍ本）の走査信号線ＧＬ１〜ＧＬｍとを備えており、１からｎまでの任意の整数および１からｍまでの任意の整数をｊとすると、データ信号線ＳＬｉおよび走査信号線ＧＬｊの組み合わせ毎に、画素ＰＩＸ（ｉ，ｊ）が設けられている。なお、本実施形態の場合、各画素ＰＩＸ（ｉ，ｊ）は、隣接する２本のデータ信号線ＳＬ（ｉ−１）・ＳＬｉと、隣接する２本の走査信号線ＧＬ（ｊ−１）・ＧＬｊとで囲まれた部分に配されている。【００２８】  本実施形態に係る画像表示装置１は、液晶表示装置であって、上記画素ＰＩＸ（ｉ，ｊ）は、例えば、図３に示すように、スイッチング素子として、ゲートが走査信号線ＧＬｊへ、ドレインがデータ信号線ＳＬｉに接続された電界効果トランジスタＳＷ（ｉ，ｊ）と、当該電界効果トランジスタＳＷ（ｉ，ｊ）のソースに、一方電極が接続された画素容量Ｃｐ（ｉ，ｊ）とを備えている。また、画素容量Ｃｐ（ｉ，ｊ）の他端は、全画素ＰＩＸ…に共通の共通電極線に接続されている。上記画素容量Ｃｐ（ｉ，ｊ）は、液晶容量ＣＬ（ｉ，ｊ）と、必要に応じて付加される補助容量Ｃｓ（ｉ，ｊ）とから構成されている。【００２９】  上記画素ＰＩＸ（ｉ，ｊ）において、走査信号線ＧＬｊが選択されると、電界効果トランジスタＳＷ（ｉ，ｊ）が導通し、データ信号線ＳＬｉに印加された電圧が画素容量Ｃｐ（ｉ，ｊ）へ印加��れる。一方、当該走査信号線ＧＬｊの選択期間が終了して、電界効果トランジスタＳＷ（ｉ，ｊ）が遮断されている間、画素容量Ｃｐ（ｉ，ｊ）は、遮断時の電圧を保持し続ける。ここで、液晶の透過率あるいは反射率は、液晶容量ＣＬ（ｉ，ｊ）に印加される電圧によって変化する。したがって、走査信号線ＧＬｊを選択し、当該画素ＰＩＸ（ｉ，ｊ）への映像データＤに応じた電圧をデータ信号線ＳＬｉへ印加すれば、当該画素ＰＩＸ（ｉ，ｊ）の表示状態を、映像データＤに合わせて変化させることができる。【００３０】  本実施形態に係る画像表示装置１は、画素アレイ２に用いる液晶セルとして、垂直配向モードの液晶セル、すなわち、電圧無印加時には、液晶分子が基板に対して略垂直に配向し、画素ＰＩＸ（ｉ，ｘ）の液晶容量ＣＬ（ｉ，ｊ）への印加電圧に応じて、液晶分子が垂直配向状態から傾斜する液晶セルを採用しており、当該液晶セルをノーマリーブラックモード（電圧無印加時には、黒表示となるモード）で使用している。【００３１】  上記構成において、図２に示す走査信号線駆動回路４は、各走査信号線ＧＬ１〜ＧＬｍへ、例えば、電圧信号など、選択期間か否かを示す信号を出力している。また、走査信号線駆動回路４は、選択期間を示す信号を出力する走査信号線ＧＬｊを、例えば、制御回路１２から与えられるクロック信号ＧＣＫやスタートパルス信号ＧＳＰなどのタイミング信号に基づいて変更している。これにより、各走査信号線ＧＬ１〜ＧＬｍは、予め定められたタイミングで、順次選択される。【００３２】  さらに、データ信号線駆動回路３は、映像信号ＤＡＴとして、時分割で入力される各画素ＰＩＸ…への映像データＤ…を、所定のタイミングでサンプリングすることで、それぞれ抽出する。さらに、データ信号線駆動回路３は、走査信号線駆動回路４が選択中の走査信号線ＧＬｊに対応する各画素ＰＩＸ（１，ｊ）〜ＰＩＸ（ｎ，ｊ）へ、各データ信号線ＳＬ１〜ＳＬｎを介して、それぞれへの映像データＤ…に応じた出力信号を出力する。【００３３】  なお、データ信号線駆動回路３は、制御回路１２から入力される、クロック信号ＳＣＫおよびスタートパルス信号ＳＳＰなどのタイミング信号に基づいて、上記サンプリングタイミングや出力信号の出力タイミングを決定している。【００３４】  一方、各画素ＰＩＸ（１，ｊ）〜ＰＩＸ（ｎ，ｊ）は、自らに対応する走査信号線ＧＬｊが選択されている間に、自らに対応するデータ信号線ＳＬ１〜ＳＬｎに与えられた出力信号に応じて、透過率などを調整して、自らの明るさを決定する。【００３５】  ここで、走査信号線駆動回路４は、走査信号線ＧＬ１〜ＧＬｍを順次選択している。したがって、画素アレイ２の全画素ＰＩＸ（１，１）〜ＰＩＸ（ｎ，ｍ）を、それぞれへの映像データＤが示す明るさ（階調）に設定でき、画素アレイ２へ表示される画像を更新できる。【００３６】  なお、映像データＤは、画素ＰＩＸ（ｉ，ｊ）の階調レベルを特定できれば、階調レベル自体であってもよいし、階調レベルを算出するためのパラメータであってもよいが、以下では、一例として、映像データが画素ＰＩＸ（ｉ，ｊ）の階調レベル自体である場合について説明する。【００３７】  また、上記画像表示装置１にお���て、映像信号源ＶＳ０から変調駆動処理部２１へ与えられる映像信号ＤＡＴは、フレーム単位（画面全体単位）で伝送されていてもよいし、１フレームを複数のフィールドに分割すると共に、当該フィールド単位で伝送されていてもよいが、以下では、一例として、フィールド単位で伝送される場合について説明する。【００３８】  すなわち、本実施形態において、映像信号源ＶＳ０から変調駆動処理部２１へ与えられる映像信号ＤＡＴは、１フレームを複数のフィールド（例えば、２フィールド）に分割すると共に、当該フィールド単位で伝送されている。【００３９】  より詳細には、映像信号源ＶＳ０は、映像信号線ＶＬを介して、画像表示装置１の変調駆動処理部２１に映像信号ＤＡＴを伝送する際、あるフィールド用の映像データを全て伝送した後に、次のフィールド用の映像データを伝送するなどして、各フィールド用の映像データを時分割伝送している。【００４０】  また、上記フィールドは、複数の水平ラインから構成されており、上記映像信号線ＶＬでは、例えば、あるフィールドにおいて、ある水平ライン用の映像データ全てが伝送された後に、次に伝送する水平ライン用の映像データを伝送するなどして、各水平ライン用の映像データが時分割伝送されている。【００４１】  なお、本実施形態では、２フィールドから１フレームを構成しており、偶数フィールドでは、１フレームを構成する各水平ラインのうち、偶数行目の水平ラインの映像データが伝送される。また、奇数フィールドでは、奇数行目の水平ラインの映像データが伝送される。さらに、上記映像信号源ＶＳ０は、１水平ライン分の映像データを伝送する際も上記映像信号線ＶＬを時分割駆動しており、予め定められた順番で、各映像データが順次伝送される。【００４２】  ここで、図１に示すように、本実施形態に係る変調駆動処理部２１は、１フレーム分の映像データを次のフレームまで記憶するフレームメモリ（映像データ記憶装置）３１と、基本的には、入力端子Ｔ１に入力された現フレームＦＲ（ｋ）の映像データＤ（ｉ，ｊ，ｋ）をフレームメモリ３１へ書き込むと共に、フレームメモリ３１から前フレームＦＲ（ｋ−１）の映像データＤ０（ｉ，ｊ，ｋ−１）を読み出して出力するメモリ制御回路３２と、上記両映像データＤ（ｉ，ｊ，ｋ）・Ｄ０（ｉ，ｊ，ｋ−１）に基づいて、上記両映像データＤ（ｉ，ｊ，ｋ）・Ｄ０（ｉ，ｊ，ｋ−１）に基づいて、階調遷移強調の要否を判定する判定処理部３３と、階調遷移強調が必要な場合は、上記両映像データＤ（ｉ，ｊ，ｋ）・Ｄ０（ｉ，ｊ，ｋ−１）に基づいて、画素ＰＩＸ（ｉ，ｊ）における現フレームＦＲ（ｋ）から前フレームＦＲ（ｋ−１）への階調遷移を強調するように、現フレームＦＲ（ｋ）の映像データＤ（ｉ，ｊ，ｋ）を補正して出力し、不要であれば、上記映像データＤ（ｉ，ｊ，ｋ）自体を出力する変調処理部（補間手段）３４と、上記変調処理部３４が補正する際に参照されるルックアップテーブル（ＬＵＴ；パラメータ記憶装置）３５とを備えている。【００４３】  なお、以下では、補正の有無に拘わらず、変調処理部３４の出力する信号を、出力映像信号ＤＡＴ２と称し、当該出力映像信号ＤＡＴ２を構成する出力映像データＤ２のうち、映像���ータＤ（ｉ，ｊ，ｋ）およびＤ０（ｉ，ｊ，ｋ−１）に対応するデータを、出力映像データＤ２（ｉ，ｊ，ｋ）と称する。また、画像表示装置１の各部において、互いに同じ時点に、その信号、データ、電圧あるいは輝度が存在しているか否かに拘わらず、当該出力映像データＤ２（ｉ，ｊ，ｋ）に基づいて画素ＰＩＸ（ｉ，ｊ）へ印加される電圧を現フレームＦＲ（ｋ）の電圧、当該電圧が印加されるフレームを、現フレームＦＲ（ｋ）、当該電圧によって、画素ＰＩＸ（ｉ，ｊ）が現フレームＦＲ（ｋ）の終了時点に到達する輝度を、現フレームＦＲ（ｋ）の輝度と称する。【００４４】  上記ＬＵＴ３５には、基本的には、前フレームＦＲ（ｋ−１）の映像データＤ（ｉ，ｊ，ｋ−１）の取り得る値（階調）と、現フレームＦＲ（ｋ）の映像データＤ（ｉ，ｊ，ｋ）の取り得る値（階調）との組み合わせのうち、予め定められた組み合わせのそれぞれについて、当該組み合わせが入力された場合に出力すべき補正後の出力映像データＤ２（ｉ，ｊ，ｋ）が格納されている。ここで、ＬＵＴ３５に格納される値は、画素アレイ２の特性によって決定されている。本実施形態では、画素ＰＩＸ（ｉ，ｊ）の輝度が第１階調の示す輝度にある状態において、第２階調に対応する電圧を画素ＰＩＸ（ｉ，ｊ）に印加した場合に、当該電圧を印加したフレームの終了時点に、画素ＰＩＸ（ｉ，ｊ）が第３階調の示す輝度に到達するとするとき、上記ＬＵＴ３５には、基本的に、第１階調と第３階調との組み合わせに対応して、第２階調を示すデータが格納されている。【００４５】  一例として、本実施形態では、上記前フレームの映像データＤ０および映像データＤが取り得る値は、それぞれ０〜２５５であり、上記ＬＵＴ３５は、図４に示すように、両者の組み合わせで特定される領域を８×８個の小領域に区分したとき、図５に示すように、各小領域の４隅となる点に対応する映像データＤ２を記憶している。なお、この例の場合、上記領域は、（０，０）から（２５５，２５５）の２次元空間になるので、８×８個の小領域に区分すると、各小領域は、３２階調×３２階調の領域になる。したがって、この場合、上記ＬＵＴ３５には、３２階調おきの階調同士の組み合わせからなる９×９個の点が記憶される。【００４６】  また、上記変調処理部３４は、上記判定処理部３３から補正が指示された場合、ＬＵＴ３５に記憶された各組み合わせに対応する映像データＤ２同士の間を線形補間して、実際に入力される前フレーム代表値Ｄ０（ｉ，ｊ，ｋ−１）および映像データＤ（ｉ，ｊ，ｋ）の組み合わせに対応する映像データＤ２を算出して出力することができる。【００４７】  より詳細には、本実施形態に係る変調処理部３４は、上記両映像データＤ０（ｉ，ｊ，ｋ−１）およびＤ（ｉ，ｊ，ｋ）の組み合わせ（Ｓ，Ｅ）が入力されたとき、当該組み合わせが、計算エリアとしての上記小領域のいずれに属しているかを特定する。さらに、変調処理部３４は、当該計算エリアの４隅の到達階調を、左上隅、右上隅、右下隅、左下隅の順に、それぞれ、Ａ、Ｂ、Ｃ、Ｄとし、当該計算エリアの広さをＹ×Ｘ、左上隅の組み合わせ（Ｓ０，Ｅ０）と上記両組み合わせ（Ｓ，Ｅ）との差を（１，１）に正規化した値を（Δｙ，Δｘ）＝（（Ｓ−Ｓ０）／Ｙ，（Ｅ−Ｅ０）／Ｘ）とするとき、演算回路７２は、Δｘ＞＝Δｙの場合、ＬＵＴ３５から、上記各到達階調Ａ、ＢおよびＣを読み出し、以下の式（１）に示すように、
Ｄ２（ｉ，ｊ，ｋ）＝Ａ＋Δｘ・（Ｂ−Ａ）＋Δｙ・（Ｃ−Ｂ）        …（１）
によって、Ｄ２（ｉ，ｊ，ｋ）を算出する。【００４８】  一方、Δｘ＜Δｙの場合、変調処理部３４は、ＬＵＴ３５から上記各到達階調Ａ、ＣおよびＤを読み出し、以下の式（２）に示すように、
Ｄ２（ｉ，ｊ，ｋ）＝Ｃ＋Δｘ・（Ｃ−Ｄ）＋（１−Δｙ）・（Ｄ−Ａ）    …（２）
によって、Ｄ２（ｉ，ｊ，ｋ）を算出する。【００４９】  例えば、図４および図５の例では、（Ｓ，Ｅ）が（１４４，４８）の場合、（１２８，３２）、（１２８，６４）、（１６０，６４）および（１６０，３２）で囲まれた計算エリアが特定され、補正後の映像データＤ２（ｉ，ｊ，ｋ）が６０となる。【００５０】  ところで、上述したように、本実施形態に係るＬＵＴ３５には、基本的に、上記第１階調と第３階調との組み合わせに対応して、上記第２階調を示すデータが格納されているが、例外として、階調遷移が発生しない階調の組み合わせ（上記両映像データＤ（ｉ，ｊ，ｋ）・Ｄ０（ｉ，ｊ，ｋ−１）の値が互いに等しくなる組み合わせ）に対しては、ＬＵＴ３５は、上記第２階調の値（Ｄ（ｉ，ｊ，ｋ）の値自体）に代えて、補正を行う範囲における映像データＤ２（ｉ，ｊ，ｋ）を補間演算によって算出する際の誤差が最も小さくなるように設定された値として、第２階調の値よりも大きな値Ｖを格納している。さらに、本実施形態では、より好ましい設定として、補正を行う範囲で補正が強くなりすぎる領域が生じない範囲で誤差が最も小さくなるように設定されている。なお、図６では、例えば、現フレームＦＲ（ｋ）の映像データＤ（ｉ，ｊ，ｋ）の示す階調が３２階調の場合の値をＶ（３２）のように、Ｖの後に、現フレームＦＲ（ｋ）の映像データＤ（ｉ，ｊ，ｋ）の値を示す値を付している。【００５１】  さらに、本実施形態に係る変調処理部３４は、ディケイの階調遷移の場合で、しかも、ＬＵＴ３５から読み出すべき値の中に、階調遷移が発生しない組み合わせ（Ｄ０＝Ｄの組み合わせ）に対応する値が含まれている場合は、当該組み合わせに対応する値を、上記ＬＵＴ３５から読み出す代わりに、前フレームＦＲ（ｋ−１）の映像データＤ０自体、または、現フレームＦＲ（ｋ）の映像データＤを用いて補間演算できる。なお、階調遷移がディケイの場合とは、階調遷移によって輝度が減少する場合であって、前フレームＦＲ（ｋ−１）の映像データＤ０よりも、現フレームＦＲ（ｋ）の映像データＤの方が小さい場合である。【００５２】  以下では、図６を参照しながら、階調遷移が発生しない点を４隅の１つに持つ小領域として、（Ｓ，Ｅ）の座標（０，３２）、（０，６４）、（３２，６４）および（３２，３２）を４隅とする小領域Ａ１を例にして、ＬＵＴ３５に格納された値について説明する。【００５３】  ここで、座標（３２，３２）から（３２，６４）へと、現フレームＦＲ（ｋ）の映像データＤのみを変化させた場合に、最適な映像データＤ２がどのように変化するかを、Ｓ−Ｅを横軸に、最適な映像データＤ２の値を縦軸にして図示すると、図６中、二点鎖線の曲線に示す特性Ｃ１となる。なお、最適な映像データＤ２の値は、上述したＬＵＴ３５の他の値（階調遷移が発生しない場合の値）を決定する場合と同様にして決定できる。【００５４】  一方、第１の比較例として、ＬＵＴ３５が、階調遷移が発生しない階調の組み合わせに対応して、現フレームＦＲ（ｋ）の映像データＤ自体を記憶しており、変調処理部が常に線形補間する構成では、映像データＤ２の特性は、図６中、破線の直線に示す特性Ｃ２となる。【００５５】  さらに、第２の比較例として、���実施形態に係る変調処理部３４と同様に、階調遷移量（Ｅ−Ｓ）が予め定められた閾値Ｌに満たない場合は、階調遷移を強調しない構成では、変調処理部から出力される映像データＤ２の特性は、図６中、実線の折れ線に示す特性Ｃ３となる。【００５６】  ただし、当該第２の比較例の構成では、階調遷移が発生しない階調の組み合わせに対応して、現フレームＦＲ（ｋ）の映像データＤ自体が格納されているので、Ｓ−Ｅが閾値Ｌよりも大きな箇所において、上記出力される映像データＤ２は、上述した理想的な特性Ｃ１よりも大きく下回った値になっている。【００５７】  これに対して、本実施形態に係るＬＵＴ３５は、階調遷移が発生しない階調の組み合わせに対応して、現フレームＦＲ（ｋ）の映像データＤよりも大きな値を格納している。したがって、変調処理部３４は、図６中、実線の折れ線に示す特性Ｃ４をもった映像データＤ２を出力できる。【００５８】  より詳細には、補正前の映像データをＤ（ｎ−１）、Ｄ（ｎ）とし、それに対応する補正後の映像データを、Ｄ２（ｎ−１）、Ｄ２（ｎ）とする場合、上記折れ線の特性Ｃ４は、補正前の補正前の映像データの階調遷移量が上記閾値Ｌに満たないとき、Ｄ２（ｎ）＝Ｄ（ｎ）であり、当該階調遷移量が上記閾値Ｌよりも大きいとき、Ｄ２（ｎ）＝α＋ｋ・〔（Ｄ（ｎ）−Ｄ（ｎ−１）〕になる。なお、図６の例では、Ｄ２（ｎ）＝Ｄ２、Ｄ（ｎ）＝Ｄ、Ｄ（ｎ−１）＝３２なので、上記階調遷移量が上記閾値Ｌよりも大きいとき、Ｄ２＝α＋ｋ・（Ｄ−３２）となり、上記階調遷移量が上記閾値Ｌに満たないとき、Ｄ２＝Ｄとなる。【００５９】  ここで、本実施形態では、階調遷移が発生しない階調の組み合わせに対応して、現フレームＦＲ（ｋ）の映像データＤよりも大きな値が格納されているので、上記第２の比較例の構成に比べて、線形補間後の映像データＤ２は、より大きな値になる。したがって、変調処理部３４は、上記理想的な特性Ｃ１に、より近い映像データＤ２を出力することができる。【００６０】  なお、上記図６では、一例として、前フレームＦＲ（ｋ−１）の映像データＤ０を一定の値（図６では、３２階調）に固定し、現フレームＦＲ（ｋ）の映像データＤのみを、映像データＤ０と同じ値から増加させた場合における、補正後の映像データＤ２の特性について説明したが、以下に示すように、「ライズの階調遷移の場合、第２の比較例の構成に比べて本実施形態に係る変調処理部３４の方が、より理想的な特性Ｃ１に近い映像データＤ２を出力できる」ことは、一般に成立する。なお、階調遷移がライズの場合とは、階調遷移によって輝度が増大する場合であって、前フレームＦＲ（ｋ−１）の映像データＤ０よりも、現フレームＦＲ（ｋ）の映像データＤの方が大きい場合（より正確には、映像データＤ０の示す輝度よりも映像データＤの示す輝度の方が大きい場合）である。【００６１】  すなわち、本実施形態に係る画素アレイ２が液晶表示パネルであるが、一般に、階調差が大きい程、応答のために液晶分子に与える必要のあるトルク、あるいは、応答時に液晶分子に与えられるトルクが大きくなる。したがって、移動距離が大きくなる程、観察される応答時間は、短くなる。この結果、変調処理部３４が直線補間によって上記映像データＤ２を生成する構成の場合、階調差が小さくなるに従って、補正が不足し、階調遷移量に対する、補間によって生成した映像データＤ２と、理想的な映像データＤ２の値との差の比率が大きくなる傾向にある。【００６２】  言い換えると、階調遷移がライズのときは、前フレームＦＲ（ｋ−１）の映像データＤ０と、現フレームＦＲ（ｋ）の映像データＤとの組み合わせを、どのように変化させながら、図６と同様に、階調遷移量（Ｅ−Ｓ）に対する、理想的な映像データＤ２の特性Ｃ１を描画したとしても、階調遷移強調を必要とする範囲では、当該特性Ｃ１は、上に凸の曲線になる。【００６３】  この結果、上記第２の比較例のように、階調遷移が発生しない場合に、現フレームＦＲ（ｋ）の映像データＤ自体を出力できるように直線補間すると、上記階調遷移強調を必要とする場合には、常に、理想的な値よりも小さな映像データＤ２しか出力することができない。【００６４】  これに対して、本実施形態に係る変調処理部３４は、上述したように、仮に階調遷移が発生しない場合にも直線補間した値を出力するとすると、現フレームＦＲ（ｋ）の映像データＤよりも大きな値を出力できるように直線補間している。したがって、変調処理部３４の出力する映像データＤ２の特定は、図中、Ｃ４に示すようになり、変調処理部３４は、上記理想的な特性Ｃ１に、より近い映像データＤ２を出力することができる。【００６５】  ここで、上記Ｃ４を出力する際に参照した値Ｖは、例えば、以下のようにして算出される。具体的には、階調遷移量が最大となる場合の点をＰ１とし、階調遷移量がＬとなる場合の点をＰ２とするとき、Ｐ１とＰ２とを直線で結び、当該直線がＳ＝３２の直線（映像データＤが最小値である直線）に交わった点Ｐ３の映像データＤ２をＶとしている。より好ましくは、Ｐ２の選定に当たり、補正区間における補正量が理想値を上回らない（すなわち補正し過ぎがない）ような範囲で、Ｐ２を選定することが望ましい。【００６６】  なお、上記変調処理部３４による直線補間は、上記のように設定されているので、仮に、階調遷移が発生しない場合にも直線補間された値を出力したとすると、映像データＤよりも大きな値を出力してしまう。この場合は、静止画を表示しているときのように、階調遷移がないときに、画素ＰＩＸの輝度を、正しい輝度（現フレームＦＲ（ｋ）の映像データＤの示す輝度）に制御することができず、画像表示装置１の表示品質が低下してしまう。【００６７】  ところが、本実施形態に係る変調処理部３４は、階調遷移量（Ｓ−Ｅ）が予め定められた閾値Ｌよりも小さい場合、階調遷移強調を行わず、現フレームＦＲ（ｋ）の映像データＤ自体を出力している。したがって、変調処理部３４による直線補間が上記のように設定されていたとしても、画像表示装置１は、静止画表示時にも、何ら支障なく、画素ＰＩＸの輝度を、正しい輝度に制御することができ、表示品質の低下を防止できる。【００６８】  ところで、上記では、ライズの階調遷移の場合を例にして説明したが、ディケイの階調遷移の場合であっても、原理は異なるが、略同様に考えることができる。すなわち、ディケイの場合、弾性体の緩和に基づく応答であるが、階調差が大���い程、応答のために液晶分子に与える必要のあるトルク、あるいは、応答時に液晶分子に与えられるトルクが大きくなる。したがって、移動距離が大きくなる程、液晶分子の応答速度そのものが速くなり、補正量が同一の場合には、より応答時間を短縮することができる。【００６９】  同様に、階調差が大きい程、応答のために液晶分子に与える必要のあるトルク、あるいは、応答時に液晶分子に与えられるトルクが大きくなるので、移動距離が大きくなる程、観察される応答時間は、短くなる。【００７０】  この結果、変調処理部３４が直線補間によって上記映像データＤ２を生成する構成の場合、階調差が小さくなるに従って、補正が不足し、階調遷移量に対する、補間によって生成した映像データＤ２と、理想的な映像データＤ２の値との差の比率が大きくなる傾向にある。【００７１】  したがって、階調遷移がディケイのときは、前フレームＦＲ（ｋ−１）の映像データＤ０と、現フレームＦＲ（ｋ）の映像データＤとの組み合わせを、どのように変化させながら、図６と同様に、階調遷移量（Ｅ−Ｓ）に対する、理想的な映像データＤ２の特性Ｃ１を描画したとしても、階調遷移強調を必要とする範囲では、当該特性Ｃ１は、下に凸の曲線になる。【００７２】  この結果、上記第２の比較例のように、階調遷移が発生しない場合に、現フレームＦＲ（ｋ）の映像データＤ自体を出力できるように直線補間すると、上記階調遷移強調を必要とする場合には、常に、理想的な値よりも大きな映像データＤ２しか出力することができない。【００７３】  ところが、本実施形態のように、垂直配向モードの液晶セルをノーマリーブラックモードで使用している場合、ディケイ方向の階調遷移に対する応答特性は、ライズ方向の階調遷移に対する応答特性と比較して、階調遷移量のレベルの影響を受けにくく、上述した補正不足が余り発生しない。【００７４】  また、垂直配向モードの液晶セルをノーマリーブラックモードで使用している場合、特に、ライズ方向の応答特性が階調遷移の量に影響を受けやすい。さらに、特に０階調からスタートする階調遷移の時は、非常に応答が遅いため、大きな量の補正が必要になる（補正前の映像データＤと補正後の映像データＤ２との差が大きい）。【００７５】  したがって、以下の構成、すなわち、ライズ方向の階調遷移時の映像データＤを高精度に補正するための値を記憶するだけではなく、ディケイ方向の階調遷移時の映像データＤを高精度に補正するための値も、ＬＵＴ３５に記憶する構成と比較して、余り表示品質を低下させることなく回路規模を削減できる。【００７６】  〔第２の実施形態〕
本実施形態では、ライズ方向の階調遷移だけではなく、ディケイ方向の階調遷移についても、上述した補正不足を抑制するための構成について、図７を参照しながら説明する。【００７７】  すなわち、図１に示すように、本実施形態に係る変調駆動処理部２１ａは、第１の実施形態に係る変調駆動処理部２１と略同様の構成であるが、変調処理部３４およびＬＵＴ３５に代えて、変調処理部３４ａおよびＬＵＴ３５ａが設けられている。【００７８】  上記ＬＵＴ３５ａは、図５に示すＬＵＴ３５と略同様であるが、図７に示すように、階調遷移が発生しない組み合わせに対応して、ライズ方向の階調遷移を強調するための値Ｖ１だけではなく、ディケイ方向の階調遷移を強調するための値Ｖ２も格納されている。なお、これらの値Ｖ１およびＶ２が、特許請求の範囲に記載の第１および第２パラメータに対応する。【００７９】  ここで、ディケイ方向用の値Ｖ２は、映像データＤ２＝Ｄ０＝Ｄよりも小さな値を示している。当該値Ｖ２は、第１の実施形態と略同様に、例えば、階調遷移量が最大となる場合の点をＰ１とし、階調遷移量がＬとなる場合の点をＰ２とするとき、Ｐ１とＰ２とを直線で結び、当該直線が現映像データＤが最小となったときの点Ｐ３の映像データＤ２を、Ｖとしている。なお、ライズにおける方法と同様にＰ２の選定に当たっては、補正区間の補正量が理想値を上回る（ディケイなので補正値としては下回る）ことがないような範囲で、理想値との誤差が最小になるよう選定することが好ましい。【００８０】  また、上記変調処理部３４ａは、上記変調処理部３４と略同様であるが、階調遷移が発生しない組み合わせに対応する値を、ＬＵＴ３５ａから読み出す場合、現フレームＦＲ（ｋ）の映像データＤと前フレームＦＲ（ｋ−１）の映像データＤ０とに基づいて、階調遷移がライズ方向かディケイ方向かを判定し、ディケイ方向のときは、当該組み合わせに対応してＬＵＴ３５ａに記憶されている２つの値Ｖ１およびＶ２のうち、ディケイ方向用の値Ｖ２を読み出すことができる。上記一方、ライズ方向のときは、上記両値Ｖ１およびＶ２のうち、ライズ方向用の値Ｖ１を読み出すことができる。【００８１】  ここで、上記値Ｖ１およびＶ２を、そのまま記憶していてもよいが、本実施形態では、記憶容量を削減するために、上記値Ｖ１およびＶ２は、現フレームＦＲ（ｋ）の映像データＤ（または前フレームＦＲ（ｋ−１）の映像データＤ０）に対する差分値の形態で格納されており、上記映像データＤ（またはＤ０）に、ＬＵＴ３５から読み出した値Ｖ１ａあるいはＶ２ａを加算したり、減算したりして、差分前の値Ｖ１およびＶ２を復元することができる。【００８２】  上記構成では、第１の実施形態と同様にライズ方向の階調遷移時の補正不足を抑制できるだけではなく、ディケイ方向の階調遷移についても、上述した補正不足を抑制でき、上述した第２の比較例の構成と比較して、より理想的な特性Ｃ１に近く、より大きな映像データＤ２を出力することができる。【００８３】  なお、本実施形態でも、第１の実施形態と同様に、階調遷移量が閾値Ｌを下回った場合、変調処理部３４ａは、階調遷移を強調しないので、静止画表示時の表示品質の低下を防止できる。【００８４】  ��第３の実施形態〕
本実施形態では、第１の実施形態のＬＵＴ３５と、第２の実施形態のＬＵＴ３５ａとを状況に応じて切り換え可能な構成について、図８を参照しながら説明する。なお、ＬＵＴに格納すべき値（階調遷移強調の程度）を変更するトリガとしては、例えば、温度や、表示すべき画像の種類（動きの多い映像か否かなど）をはじめとして、種々のトリガが考えられるが、以下では、これらのトリガのうち、温度をトリガにして、ＬＵＴを切り換える場合について説明する。【００８５】  より詳細には、第２の実施形態のように、ライズ方向用の値Ｖ１ａとディケイ方向用の値Ｖ２ａとをＬＵＴ３５ａに記憶すると、より理想的な特性Ｃ１に近い映像データＤ２を出力できる一方で、ＬＵＴ３５ａの記憶容量を増大させることなく記憶可能なＶ１ａおよびＶ２ａの値の範囲が限定されてしまう。【００８６】  例えば、映像データＤ０およびＤがそれぞれ８ビットで表現されており、しかも、ＬＵＴ３５ａ上に、両映像データＤ０およびＤの１つの組み合わせに対応する値を記憶する領域として、８ビットの記憶領域を設けている場合に、当該記憶領域内に、上記値Ｖ１ａおよびＶ２ａの双方を格納しようとすると、上記値Ｖ１ａおよびＶ２ａがそれぞれ占有可能な記憶領域の大きさは、例えば、４ビットずつに制限されてしまう。したがって、階調遷移が発生する組み合わせに対応して、ＬＵＴ３５ａに記憶されている値Ｖ０が取り得る値の範囲は、８ビットで表現可能な値の範囲（０〜２５５）であるのに対して、上記値Ｖ１ａおよびＶ２ａの取り得る範囲は、４ビットで表現可能な値の範囲（０〜１６）に制限されてしまう。【００８７】  したがって、例えば、温度が比較的低い場合のように、補正量が大きい場合（階調遷移強調の程度が大きい場合）には、上記ＬＵＴ３５ａに適切な値を格納しようとすると、必要な記憶容量が増大し、それに伴なって、変調駆動処理部の回路規模も増大してしまう。【００８８】  これに対して、本実施形態に係る変調駆動処理部は、以下の場合、すなわち、補正量が大きく、上記ＬＵＴ３５ａに適切な値を格納しようとすると、必要な記憶容量が増大する場合には、ＬＵＴ３５を用い、それ以外の場合は、ＬＵＴ３５ａを用いることによって、回路規模を余り増大させることなく、より理想的な特性Ｃ１に近い映像データＤ２を出力できる。【００８９】  具体的には、本実施形態に係る変調駆動処理部は、第１および第２の実施形態のように、温度に拘わらず、同じＬＵＴを用いる構成とは異なり、温度を複数の温度範囲に区分し、現在の温度がいずれの温度範囲に属しているかによって、変調処理部が階調遷移強調時に参照するＬＵＴを切り換えることができる。【００９０】  より詳細には、本実施形態に係る変調駆動処理部２１は、図８に示すように、第１の実施形態に係る変調駆動処理部２１と略同様の構成であるが、上記ＬＵＴ３５の代わりに、上記各温度範囲に対応するＬＵＴからなるＬＵＴ群３７が設けられている。当該ＬＵＴ３７を構成する複数のＬＵＴは、ＬＵＴ３５か、または、ＬＵＴ３５ａである。なお、ＬＵＴ３５および３５ａの個数は、いずれに設定してもよいが、ＬＵＴのいずれかは、ＬＵＴ３５であり、ＬＵＴの他のいずれかは、ＬＵＴ３５ａである。本実施形態では、以下の温度範囲Ｔ１、すなわち、補正量が大きく、上記ＬＵＴ３５ａに適切な値を格納しようとすると、必要な記憶容量が増大するような温度範囲Ｔ２には、ＬＵＴ３５を対応させ、それ以外の温度範囲には、ＬＵＴ３５ａを対応させている。【００９１】  また、本実施形態に係る変調駆動処理部２１ｂには、変調駆動処理部２１の構成に加えて、図２に示すパネル１１の温度を検出する温度センサ３６が設けられている。なお、上記温度センサ３６は、画素ＰＩＸの温度を検出／推測できれば、どの位置に配置されていてもよいが、表示に影響することなく、しかも、より正確に画素ＰＩＸの温度を検出／推測するために、画素ＰＩＸの画素電極が設けられている基板またはその対向基板上、あるいは、カラーフィルタ上のうち、非表示領域上に設けられている方が好ましい。【００９２】  さらに、変調処理部３４に代えて設けられた変調処理部３４ｂは、温度センサ３６の検出結果に基づいて、上記複数のＬＵＴ（３５、３５ａ、…）のうち、現時点で、階調遷移強調時に参照するＬＵＴを選択し、当該ＬＵＴに格納されている値に基づいて、補正後の映像データＤ２を出力することができる。【００９３】  また、変調処理部３４ｂは、選択したＬＵＴがＬＵＴ３５ａの場合は、第２の実施形態に係る変調処理部３４ａと同様に動作して、映像データＤ２を出力できる。一方、選択したＬＵＴがＬＵＴ３５の場合は、第１の実施形態に係る変調処理部３４と同様に動作して、映像データＤ２を出力できる。【００９４】  上記構成では、温度センサ３６の検出結果が、温度範囲Ｔ１を示している場合、変調処理部３４ｂは、ＬＵＴ３５を参照して、補正後の映像データＤ２を生成しているので、複数のＬＵＴの全てがＬＵＴ３５ａである場合と異なって、以下の温度範囲、すなわち、補正量が大きく上記ＬＵＴ３５ａに適切な値を格納しようとすると、必要な記憶容量が増大するような温度範囲であっても、ＬＵＴに必要な記憶容量を増大させることなく、ライズ方向の階調遷移時の補正不足を抑制できる。一方、本実施形態では、ＬＵＴのうち、少なくとも１つがＬＵＴ３５ａなので、全てがＬＵＴ３５の場合と比較して、より理想的な特性Ｃ１に近い映像データＤ２を出力できる。この結果、回路規模を余り増大させることなく、より理想的な特性Ｃ１に近い映像データＤ２を出力でき、表示品質を向上させることができる。【００９５】  なお、上記各実施形態では、垂直配向モードかつノーマリーブラックモードの液晶セルを表示素子として用いた場合を例にして説明したが、これに限るものではない。液晶表示装置であれば、一般に、階調差が大きい程、応答のために液晶分子に与える必要のあるトルク、あるいは、応答時に液晶分子に与えられるトルクが大きくなり、移動距離が大きくなる程、観察される応答時間は、短くなる。したがって、変調処理部が直線補間によって上記映像データを生成する構成の場合、階調差が小さくなるに従って、補正が不足し、階調遷移量に対する、補間によって生成した映像データＤ２と、理想的な映像データＤ２の値との差の比率が大きくなる傾向にある。この結果、液晶表示装置であれば、上記各実施形態と同様の効果が得られる。【００９６】  また、液晶表示素子でなくても、画素の応答速度が比較的遅いために、大きな補正が必要であり、しかも、補正値（補正前の映像データＤの値と補正後の映像データＤ２の値との差）が階調遷移量に依存して大きく変化する表示素子であれば、略同様の効果が得られる。【００９７】  なお、上記各実施形態では、変調駆動処理部を構成する各部材がハードウェアのみで実現されている場合を例にして説明したが、これに限るものではない。各部材の全部または一部を、上述した機能を実現するためのプログラムと、そのプログラムを実行するハードウェア（コンピュータ）との組み合わせで実現してもよい。一例として、画像表示装置１に接続されたコンピュータが、画像表示装置１を駆動する際に使用されるデバイスドライバとして、変調駆動処理部（２１〜２１ｂ）を実現してもよい。また、画像表示装置１に内蔵あるいは外付けされる変換基板として、変調駆動処理部が実現され、ファームウェアなどのプログラムの書き換えによって、当該変調駆動処理部を実現する回路の動作を変更できる場合には、当該ソフトウェアが記録された記録媒体を配布したり、当該ソフトウェアを通信路を介して伝送するなどして、当該ソフトウェアを配布し、上記ハードウェアに、そのソフトウェアを実行させることによって、当該ハードウェアを、上記各実施形態の変調駆動処理部として動作させてもよい。【００９８】  これらの場合は、上述した機能を実行可能なハードウェアが用意されていれば、当該ハードウェアに、上記プログラムを実行させるだけで、上記各実施形態に係る変調駆動処理部を実現できる。【００９９】  より詳細に説明すると、ソフトウェアを用いて実現する場合、ＣＰＵ、あるいは、上述した機能を実行可能なハードウェアなどからなる演算手段が、ＲＯＭやＲＡＭなどの記憶装置に格納されたプログラムコードを実行し、図示しない入出力回路などの周辺回路を制御することによって上記各実施形態に係る変調駆動処理部２１〜２１ｂを実現できる。【０１００】  この場合、処理の一部を行うハードウェアと、当該ハードウェアの制御や残余の処理を行うプログラムコードを実行する上記演算手段とを組み合わせても実現することもできる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することもできる。なお、上記演算手段は、単体であってもよいし、装置内部のバスや種々の通信路を介して接続された複数の演算手段が共同してプログラムコードを実行してもよい。【０１０１】  上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして配付され、上記演算手段で実行される。【０１０２】  なお、通信路を介して伝送する場合、通信路を構成する各伝送媒体が、プログラムを示す信号列を伝搬し合うことによって、当該通信路を介して、上記プログラムが伝送される。また、信号列を伝送する際、送信装置が、プログラムを示す信号列により搬送波を変調することによって、上記信号列を搬送波に重畳してもよい。この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割などの方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。【０１０３】  ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭや光磁気ディスク（ＭＯ）、ミニディスク（ＭＤ）やデジタルビデオディスク（ＤＶＤ）などのディスクが挙げられる。また、記録媒体は、ＩＣカードや光カードのようなカード、あるいは、マスクＲＯＭやＥＰＲＯＭ、ＥＥＰＲＯＭまたはフラッシュＲＯＭなどのような半導体メモリであってもよい。あるいは、ＣＰＵなどの演算手段内に形成されたメモリであってもよい。【０１０４】  なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。【０１０５】  また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。【０１０６】  以上のように、上記各実施形態のいずれかに係る映像データ処理装置（例えば、信号処理部２１・２１ａ〜２１ｂなど）は、繰り返し入力されている、ある画素の階調を示す映像データを、次回まで記憶する映像データ記憶装置（例えば、フレームメモリ３１など）と、上記映像データ記憶装置から読み出した前回の映像データと今回の映像データとに基づいて、前回の映像データの示す階調から、今回の映像データの示す階調への階調遷移を強調するように補正された補正後映像データを出力可能な補正手段とを備え、上記補正手段は、上記前回および今回の映像データの取り得る値の組み合わせのうち、予め定められた一部の組み合わせに対応して、当該組み合わせに対応する補正後映像データを決定するためのパラメータが格納されたパラメータ記憶装置（例えば、ＬＵＴ３５・３５ａなど）と、入力された上記両映像データの示す階調同士の差が予め定められた閾値を超えており、しかも、当該両映像データの値の組み合わせである入力組み合わせに対応するパラメータが、上記パラメータ記憶装置に格納されていない場合は、上記パラメータ記憶装置から、複数のパラメータを読み出し、これらのパラメータに基づく補間演算によって、上記入力組み合わせに対応するパラメータを算出して上記補正後映像データを生成すると共に、閾値を超えていない場合は、今回の映像データを補正せずに出力する補間手段（例えば、変調処理部３４・３４ａ〜３４ｂなど）とを備え、上記パラメータ記憶装置には、上記予め定められた一部の組み合わせのうち、組み合わせを構成する値の示す階調同士が互いに同じである特定の組み合わせに対応するパラメータとして、当該パラメータによって決定される補正後映像データの示す階調が当該特定の組み合わせを構成する値の示す階調のいずれでもなく、しかも、上記入力組み合わせを構成する値の示す階調同士の差が上記閾値を超えている場合に上記補間演算によって当該入力組み合わせに対応するパラメータを算出するためのパラメータが記憶されていることを特徴としている。【０１０７】  上記構成では、入力された上記両映像データの示す階調同士の差が予め定められた閾値を超えている場合、映像データ処理装置は、階調遷移が強調された補正後映像データを出力できるので、映像データを表示する表示装置の画素の応答速度を向上できる。【０１０８】  また、上記補間手段は、階調遷移の量が閾値を超えていない場合には、階調遷移強調を行わないので、以下の不具合、すなわち、静止画を表示している場合に、例えば、ノイズなどの影響によって僅かに発生する階調遷移を強調して、不所望な階調遷移がユーザに視認されてしまうという不具合の発生を防止できる。【０１０９】  さらに、上記パラメータ記憶装置には、今回および前回の映像データの取り得る値の組み合わせのうち、一部分の組み合わせに対応するパラメータのみが記憶され、残余の組み合わせに対応するパラメータは、補間演算によって算出されるので、全ての組み合わせに対応するパラメータをパラメータ記憶装置に格納するよりも、回路規模を大幅に削減できる。【０１１０】  また、上記パラメータ記憶装置には、��記特定の組み合わせに対応して、以下のパラメータ、すなわち、当該パラメータによって決定される補正後映像データの示す階調が当該特定の組み合わせを構成する値の示す階調のいずれでもなく、しかも、上記入力組み合わせを構成する値の示す階調同士の差が上記閾値を超えている場合に上記補間演算によって当該入力組み合わせに対応するパラメータを算出するためのパラメータが格納されている。したがって、階調遷移が発生しない特定の組み合わせに対応して、特定の組み合わせを構成する値の示す階調のいずれかを記憶する構成と比較して、補間演算を用いた近似に起因する誤差を低減でき、表示装置に表示した場合の表示品質を向上できる。【０１１１】  これらの結果、回路規模の縮小と表示品質の向上とを、より高いレベルでバランスさせた表示装置を実現することができる。【０１１２】  なお、上記特定の組み合わせに対応して、上記のようなパラメータを記憶している場合、階調遷移の量が閾値以下のときに補間演算を用いると、補間演算を用いた近似に起因する誤差が大きくなる可能性がある。ただし、上記補間手段は、階調遷移の量が閾値を超えていない場合には、階調遷移強調を行わない。したがって、階調遷移の量が閾値以下の場合には、当該誤差が発生せず、当該誤差に起因する表示品質の低下を防止できる。【０１１３】  また、上記構成に加えて、上記パラメータ記憶装置は、上記特定の組み合わせに対応するパラメータとして、上記入力された前回の映像データの示す第１階調よりも、上記入力された今回の映像データの示す第２階調の方が明るい場合の第１パラメータと、暗い場合の第２パラメータとを備え、上記補間手段は、上記特定の組み合わせに対応するパラメータを上記パラメータ記憶装置から読み出す場合、上記第１階調よりも第２階調が明るい場合は、上記第１パラメータを読み出し、暗い場合は、上記第２パラメータを読み出してもよい。【０１１４】  当該構成では、上記特定の組み合わせに対応して、２つのパラメータが格納されているので、画素の輝度が増加する階調遷移の場合と、画素の輝度が低下する階調遷移の場合との双方において、以下の構成、すなわち、階調遷移が発生しない特定の組み合わせに対応して、特定の組み合わせを構成する値の示す階調のいずれかを記憶する構成と比較して、補間演算を用いた近似に起因する誤差を低減でき、表示品質を向上できる。【０１１５】  さらに、上記構成に加え、上記各パラメータは、上記補正後の映像データの階調を示し、上記第１および第２パラメータは、今回の映像データの示す階調と、上記パラメータとしての補正後映像データの示す階調との差分を示すものであって、上記補間手段は、第１または第２パラメータを読み出した場合、当該第１または第２パラメータと上記今回の映像データとに基づいて、上記特定の組み合わせに対応するパラメータを復元してもよい。【０１１６】  当該構成では、上記各パラメータは、上記補正後の映像データの階調を示し、第１および第２パラメータが差分値として格納されている。ここで、第１および第２パラメータを記憶する場合、すなわち、僅かな量の階調遷移しか発生しない場合には、他の、より大きな量の階調遷移が発生する場合と比較して、補正後の��像データと、前回および今回の映像データとの差が小さくなっている。したがって、補正後の映像データを示すパラメータではなく、補正後の映像データと、前回または今回の映像データとの差を示すパラメータを記憶することによって、第１および第２パラメータの格納に必要な記憶領域の大きさを削減できる。この結果、第１および第２パラメータとして、補正後の映像データ自体を記憶する場合と比較して、映像データ処理装置の回路規模を削減できる。【０１１７】  一方、本発明に係る映像データ処理装置は、上記構成に加え、上記各パラメータは、上記補正後の映像データの階調を示すものであり、上記パラメータ記憶装置には、上記特定の組み合わせに対応するパラメータとして、上記入力された前回の映像データの示す第１階調よりも、上記入力された今回の映像データの示す第２階調の方が明るい場合と暗い場合とのうち、予め定められた場合のパラメータのみが記憶されており、上記補間手段は、上記特定の組み合わせに対応するパラメータを取得する際、上記予め定められた場合は、上記パラメータ記憶装置からパラメータを読み出し、そうでない場合は、今回の映像データを当該特定の組み合わせに対応するパラメータとして使用することを特徴としている。【０１１８】  当該構成では、上記入力された今回の映像データの示す第２階調の方が明るい場合と暗い場合とのうち、予め定められた方ではない場合は、今回の映像データが、当該特定の組み合わせに対応するパラメータとして使用される。したがって、双方の場合で、適切なパラメータが互いに異なっており、一方のパラメータとして他方のパラメータを使用すると、パラメータとして、今回の映像データを示す値を使用した場合よりも、表示品質が低下するときであっても、表示品質の低下の程度を、以下の構成、すなわち、階調遷移が発生しない特定の組み合わせに対応して、特定の組み合わせを構成する値の示す階調のいずれかを記憶する構成と同様に維持することができる。この結果、上記双方の場合の一方における表示品質の低下を抑制しながら、他方における表示品質を向上できる。【０１１９】  また、上記各実施形態のいずれかに係る表示装置の駆動装置（例えば、画像表示装置１・１ａ〜１ｂなど）は、以上のように、繰り返し入力されている、ある画素の階調を示す映像データを補正して出力する補正手段（例えば、信号処理部２１・２１ａ〜２１ｂなど）と、補正後の映像データに応じた信号を上記画素に接続されたデータ信号線へ出力する出力手段（例えば、データ信号線駆動回路３など）とを含む表示装置であって、上記繰り返し入力されている、補正前の映像データをＤ（ｎ−１）、Ｄ（ｎ）とし、それに対応する補正後の映像データを、Ｄ２（ｎ−１）、Ｄ２（ｎ）とする場合、上記補正手段は、補正前の映像データの階調遷移量が予め定められた閾値Ｌよりも大きいとき、上記補正後の映像データＤ２（ｎ）として、Ｄ２（ｎ）＝α＋ｋ・〔（Ｄ（ｎ−１）−Ｄ（ｎ）〕を出力し、上記補正手段は、補正前の映像データの階調遷移量が上記閾値Ｌに満たないとき、上記補正後の映像データＤ２（ｎ）として、Ｄ２（ｎ）＝Ｄ（ｎ）を出力すると共に、上記αは、Ｄ（ｎ）と異なる値に設定されていることを特徴と���ている。【０１２０】  当該構成では、補正前の映像データの階調遷移量が予め定められた閾値Ｌよりも大きいとき、上記補正後の映像データＤ２（ｎ）として、Ｄ２（ｎ）＝α＋ｋ・〔（Ｄ（ｎ−１）−Ｄ（ｎ）〕が出力され、補正前の映像データの階調遷移量が上記閾値Ｌに満たないとき、上記補正後の映像データＤ２（ｎ）として、Ｄ２（ｎ）＝Ｄ（ｎ）が出力される。また、上記αは、Ｄ（ｎ）と異なる値に設定されている。【０１２１】  したがって、上記映像データ処理装置と同様、以下の構成、すなわち、階調遷移が発生しない特定の組み合わせに対応して、特定の組み合わせを構成する値の示す階調のいずれかを記憶する構成と比較して、補間演算を用いた近似に起因する誤差を低減でき、表示装置に表示した場合の表示品質を向上できる。この結果、回路規模の縮小と表示品質の向上とを、より高いレベルでバランスさせた表示装置を実現することができる。【０１２２】  さらに、上記各実施形態のいずれかに係る液晶表示装置（例えば、画像表示装置１・１ａ〜１ｂなど）は、上記構成のいずれかの映像データ処理装置と、当該映像データ処理装置からの補正後映像データによって駆動される液晶表示パネル（例えば、パネル１１など）とを備えていることを特徴としている。したがって、上記映像データ処理装置と同様に、回路規模を余り増加させることなく表示品質を向上させることができ、回路規模の縮小と表示品質の向上とを、より高いレベルでバランスさせた液晶表示装置を実現することができる。【０１２３】  また、上記構成に加えて、上記液晶表示装置は、テレビジョン放送の受像機であってもよいし、液晶モニタ装置であってもよい。上述したように、上記映像データ処理装置を有する液晶表示装置は、回路規模の縮小と表示品質の向上とを、より高いレベルでバランスさせることができる。したがって、テレビジョン放送の受像機、あるいは、液晶モニタ装置として、好適に使用できる。【０１２４】  ところで、上記映像データ処理装置は、ハードウェアで実現してもよいし、プログラムをコンピュータに実行させることによって実現してもよい。具体的には、本発明に係るプログラムは、上記いずれかの映像データ処理装置を構成する各記憶装置を有するコンピュータを、当該映像データ処理装置を構成する各手段として動作させるプログラムであり、本発明に係る記録媒体には、当該プログラムが記録されている。【０１２５】  これらのプログラムがコンピュータによって実行されると、当該コンピュータは、上記映像データ処理装置として動作する。したがって、上記映像データ処理装置と同様に、回路規模を余り増加させることなく表示品質を向上させることができ、回路規模の縮小と表示品質の向上とを、より高いレベルでバランスさせた表示装置を実現することができる。【０１２６】  なお、発明の詳細な説明の項においてなされた具体的な実施態様または実施例は、あくまでも、本発明の技術内容を明らかにするものであって、そのような具体例にのみ限定して狭義に解釈されるべきものではなく、本発明の精神と次に記載する特許請求事項の範囲内で、いろいろと変更して実施することができるものである。
【産業上の利用可能性】
【０１２７】  本発明によれば、回路規模を余り増大させることなく、階調遷移が殆どない場合において補間演算を用いた近似に起因する誤差を低減できるので、回路規模の縮小と表示品質の向上とを、より高いレベルでバランスさせた表示装置を実現することができる。したがって、例えば、液晶テレビジョン受像機や液晶モニタ装置に設けられる映像データ処理装置をはじめとして、種々の表示装置のための映像データ処理装置として、広く使用できる。
【図１】
0004234178.tif 000002
【図２】
0004234178.tif 000003
【図３】
0004234178.tif 000004
【図４】
0004234178.tif 000005
【図５】
0004234178.tif 000006
【図６】
0004234178.tif 000007
【図７】
0004234178.tif 000008
【図８】
0004234178.tif 000009
【図９】
0004234178.tif 000010